(57)【要約】【課題】電力変換装置の電源力率の改善、出力電圧の高電圧化による大型化、信頼性低下やコスト課題を解決すること。【解決手段】多相電源（△結線電源）に接続され、各相間に整流手段をもうけ出力を電源電圧位相に同期して所定の断続動作をおこなうチョッパ手段１０５とインダクタンス手段１０６とを備え、インダクタンス手段１０５の出力を第二の整流手段１０７、１０８を介して相数分だけ同一の負荷に接続することにより、電源力率改善部品が大幅に減少するとともに出力電圧を昇降圧することが可能となり、システムの小型化、高力率化、高信頼性、適用機器の高効率化が実現できる。【選択図】図１
2010172152.tif 000002
【特許請求の範囲】
【請求項１】
多相交流電源（△結線電源）に接続され、それぞれ二相間に整流手段と前記整流手段からの出力を断続動作おこなうチョッパ手段と前記チョッパ手段による制限電流が流れるインダクタンス手段とを備え、前記インダクタンス手段の出力を第二の整流手段を介して、同一負荷に接続したことを特徴とする多相コンバータ回路を具備した電力変換装置。
【請求項２】
多相交流の電圧位相を検出する電圧位相検出手段とその電圧位相検出手段からの電圧位相信号に基いて所定の駆動信号を出力するチョッパ駆動手段を具備し、前記チョッパ手段のスイッチング動作をおこなうことを特徴とする請求項１に記載の電力変換装置。
【請求項３】
多相交流電源（△結線電源）に接続され、それぞれ二相間に整流手段と前記整流手段からの出力を断続動作おこなうチョッパ手段と前記チョッパ手段による制限電流が流れるインダクタンス手段とを備え、前記インダクタンス手段の出力を第二の整流手段を介して同一の負荷に接続した多相コンバータ回路において、出力電圧指示手段と出力電圧検出手段を具備し、その差分からの帰還信号により前記チョッパ手段の断続動作をおこなう駆動信号を発生する電圧制御手段を具備したことを特徴とする請求項１に記載の電力変換装置。
【請求項４】
すくなくとも請求項２に記載の電圧位相にもとづく所定の駆動信号と請求項３に記載の電圧制御手段からの制御信号とにより、チョッパ駆動手段における駆動信号を作成する特徴とする請求項２または請求項３に記載の電力変換装置。
【請求項５】
請求項２に記載の所定の駆動信号として、下記の電圧位相にもとづき算出されるスイッチングＯＮデュティにより駆動されるチョッパ駆動手段を具備したことを特徴とする請求項４に記載の電力変換装置。
【数１】
2010172152.tif 000004
ｄｆ：デュティファクター  （チョッパ手段ＯＮ時間／スイッチング周期時間）
ωｔ：電圧位相角度
Ｄｆ：出力ゲイン  （０≦Ｄｆ≦１）
【請求項６】
請求項１におけるコンバータ回路の負荷は、電動機を駆動するインバータ装置であることを特徴とする電力変換装置。
【請求項７】
請求項１および請求項３におけるコンバータ回路の負荷が、圧縮機駆動用の電動機を負荷とするインバータ装置を具備した空気調和機。
【発明の詳細な説明】
【技術分野】
【０００１】
本発明は△結線多相交流電源に対応した電力変換装置に関するものである。
【背景技術】
【０００２】
従来、この種の電力変換装置における３相コンバータ回路はいわゆる１石電圧不連続モード−ＰＦＣコンバータで構成している（例えば、非特許文献１参照）。
【０００３】
図７は、非特許文献１に記載された従来の１石電圧不連続モード−ＰＦＣコンバータを示すものである。図７に示すように、３相交流電源１と、３相整流手段（ダイオードブロック）２と、スイッチ手段３と、出力電力平滑用インダクタンス４と、直列共振電流を流すインダクタンス５および容量６と、回生電流を流すダイオード７および平滑容量（コンデンサ）８から構成されている。
【非特許文献１】Ｙａｎｇｔａｃｋ  Ｊａｎｇ，ｅｔ  ａｌ，”Ａ  Ｎｅｗ  Ｓｉｎｇｋｅ−Ｓｗｉｔｃｈ  Ｔｈｒｅｅ−Ｐｈａｓｅ  Ｈｉｇｈ−Ｐｏｗｅｒ−Ｆａｃｔｏｒ  Ｒｅｃｔｉｆｉｅｒｓ  ｕｓｉｎｇ  Ｍｕｌｔｉｒｅｓｏｎａｎｔ  Ｚｅｒｏ  Ｃｕｒｒｅｎｔ  Ｓｗｉｔｃｈｉｎｇ”，ＩＥＥＥ  Ｔｒａｎｓ．  Ｏｎ  Ｐｏｗｅｒ  Ｅｌｅｃｔｒｏｎｉｃｓ，ＰＥ−１３，Ｎｏ．１，１９４／２０１（１９９８）
【発明の開示】
【発明が解決しようとする課題】
【０００４】
しかしながら、前記従来の構成では、基本的に３相電源の線間電圧を全波整流するものであり、インダクタンス５および容量６は電源に発生する高次の電源電流成分を低減化するものとなっているが、負荷に供給する電源電圧は３相線間電圧のピーク値電圧に相当する電圧が発生していた。すなわち線間電圧がＡＣ４００Ｖであれば、（波高値として４００√２Ｖ）が負荷に印加され、結果的に構成部品が高耐圧化し、電極間距離や強固な絶縁構造が必要となり大型化し、さらには信頼性面やコスト面での課題を有していた。また、１次電流における電源力率を改善するには、電流センシング手段とそれにもとづく帰還制御が必修となっており、制御システムが複雑になりがちであった。
【０００５】
本発明は、前記従来の課題を解決するもので、△結線電源対応のコンバータでありながら電源電圧以下のコンバータ出力とオープンループ制御で高効率な電源力率を実現する電力変換装置を提供することを目的とする。
【課題を解決するための手段】
【０００６】
前記従来の課題を解決するために、本発明の電力変換装置のコンバータ回路は、それぞれ各相間に独立した整流手段と前記整流手段からの出力を所定の周期で断続動作をおこなうチョッパ手段と前記チョッパ手段による制限電流が流れるインダクタンス手段とを備え、前記インダクタンス手段の出力を第二の整流手段を介して同一の負荷に接続したものである。
【０００７】
これによって、３相△結線電源でありながら、各相間電圧からのチョッパ手段による降圧動作により、３相線間電圧のピーク値電圧に相当する電圧よりも低い電圧を負荷に出力することができる。また、独立した３相分の電源出力を出力段における第二の整流手段を介して、電流合成することで３相分の電力を効果的に活用でき、負荷および電源電流が連続的に活用できる。また、スイッチング手段におけるＯＮデュティを電源電圧位相に応じて、所定のデュティでスイッチングすることにより、高い電源力率を実現する電力変換装置を提供できる。（３相でなくても、さらに多くの多相交流でも同様の効果を得ることが
できるが、以下本発明の実施例は３相交流の場合を用いて説明をおこなう）
また、本発明の電力変換装置は、それぞれ各相間に独立した整流手段と前記整流手段からの出力を断続動作おこなうチョッパ手段と前記チョッパ手段による電流が流れるインダクタンス手段とを備え、前記インダクタンス手段の電流出力を第二の整流手段を介して同一の負荷に接続した多相コンバータ回路において、電圧位相検出手段に応じて所定の前記チョッパ手段の駆動信号のデュティを発生するチョッパ駆動手段を具備したものである。
【０００８】
これによって、オープンループ制御でありながら、電源力率を改善した電力変換を具現化できるものとなる。
【０００９】
また、本発明の電力変換装置は、それぞれ二相間に整流手段と前記整流手段からの出力を断続動作おこなうチョッパ手段と前記チョッパ手段による制限電流が流れるインダクタンス手段とを備え、前記インダクタンス手段の出力を第二の整流手段を介して同一の負荷に接続した多相コンバータ回路において、出力電圧指示手段と出力電圧検出手段を具備し、その差分からの帰還信号により前記チョッパ手段の断続動作をおこなう駆動信号を発生する電圧制御手段を具備したものである。
【００１０】
これによって、出力電圧の安定化を容易に具現化できるものである。
【００１１】
また、本発明の電力変換装置は、コンバータ回路の負荷が、空気調和機における圧縮機駆動用電動機を負荷とするインバータ装置としたものであり、３相△結線電源に接続されたインバータ駆動の空気調和機におけるコンバータ回路である。
【００１２】
これによって、従来３相△結線電源で駆動される空気調和機において、電源力率改善のために必要としていた種々の構成が大幅に減少するとともに、インバータ回路および電動機の駆動電圧を低下させることが可能となり、構成要素の小型化、低コスト化、高信頼性が実現できる。
【発明の効果】
【００１３】
本発明の電力変換装置は、３相△結線電源対応の電力変換装置でありながら、コンバータ出力電圧を小型化、低電圧化により低コスト化、高信頼性かつ容易な制御性を具現化することができる。
【発明を実施するための最良の形態】
【００１４】
第１の発明は、多相電源（△結線電源）に接続され、それぞれ各線間に独立した整流手段と前記整流手段からの出力を所定の周期で断続動作をおこなうチョッパ手段と前記チョッパ手段による制限電流が流れるインダクタンス手段とを備え、前記インダクタンス手段の出力を第二の整流手段を介して同一の負荷に接続とすることにより、チョッパ手段動作により負荷への出力電圧を制御可能となり、電源電圧の最大波高値電圧以下の出力電圧を供給することができる。
【００１５】
第２の発明は、特に第１の発明におけるチョッパ手段すべての断続動作を１次電源源電圧位相に同期した所定のタイミングでおこなうことにより、オープンループ制御を実現することができる。
【００１６】
第３の発明は、多相電源（△結線電源）に接続されたコンバータ回路において、それぞれ各線間に独立した整流手段と前記整流手段からの出力を断続動作をおこなうチョッパ手段と前記チョッパ手段による電流が流れるインダクタンス手段とを備え、前記インダクタンス手段の電流出力を第二の整流手段を介して同一の負荷に接続した多相コンバータ回路において、出力電圧指示手段と出力電圧検出手段と、その差分からの帰還制御による前記
チョッパ手段の駆動信号を発生する電圧制御手段を具備することにより、負荷における電圧制御をチョッパ手段における断続動作を制御することが可能となり、出力電圧の安定性、制御を容易に実現することができる。
【００１７】
第４の発明は、特に第２の発明における電源位相信号にもとづくデュティ出力と第３の発明におけるコンバータ回路の出力電圧からの帰還信号から生成されるチョッパ手段の駆動信号（スイッチング周波数に対するＯＮデュティ信号）を生成することにより、３相入力でのインバータ駆動装置におけるコンバータ回路を小型・容易に構成することが可能となり、インバータ装置を小型化することができる。
【００１８】
第５の発明は、特に第２の発明におけるチョッパ手段のスイッチング手段信号を電源位相に応じた一定の関数値で生成することにより、オープンループ制御にて電源力率を改善できる電力変換装置を容易に実現できる。
【００１９】
第６の発明は、特に前記発明におけるコンバータ回路を電動機を負荷とするインバータ装置に適用することにより、小型でありながら電源力率の高い電力変換装置を実現することが可能にできる。
【００２０】
第７の発明は、特に前記発明におけるコンバータ回路を空気調和機に適用することにより、圧縮機駆動用の電動機などを負荷とするインバータ装置を小型化することが可能となり、限られた室外機のスペースにおいて送風回路や熱交換器を効率よく大型化することができ製品としてのシステム効率を高めることができる。
【００２１】
以下、本発明の実施の形態について、図面を参照しながら説明する。なお、この実施の形態によって本発明が限定されるものではない。
【００２２】
（実施の形態１）
図１は、本発明における第１の実施形態における電力変換装置の主要回路図を示すものである。
【００２３】
図１において、１００は３相３線式電源（３相△結線）であり、電源供給源である。インダクタンス１０１ａ、１０１ｂ、１０１ｃおよび容量１０２ａ、１０２ｂ、１０２ｃは、ノイズフィルタを構成している。また、１０３ａ、１０３ｂ、１０３ｃは各相Ｒ，Ｓ，Ｔ間に設けられたコンバータ回路である。たとえば、Ｒ相とＳ相との間に位置するコンバータ回路１０３ａは、４個ダイオードから構成される単相全波整流ブリッジ回路１０４ａとその正出力に設けられたチョッパ手段としてのトランジスタ１０５ａ、またそのトランジスタ１０５ａの出力には単相全波整流ブリッジ回路１０４ａの負端子間にインダクタンス１０６ａが接続され、またダイオード１０７ａのカソードが接続されている。また、インダクタンス１０６ａと単相全波整流ブリッジ回路１０４ａのＮ端子にはさらにダイオード１０８ｂのアノードが接続されている。以下同様に、Ｓ相、Ｔ相におけるコンバータ回路１０３ｂ、１０３ｃも同様に構成されている。それぞれ、ダイオード１０７ａ、１０７ｂ、１０７ｃのアノード端子とダイオード１０８ａ，１０８ｂ、１０８ｃのカソードはそれぞれ平滑用コンデンサ１０９の端子に接続されている。このブロック構成がコンバータ回路を構成するが、第１図においては、コンバータ回路の負荷装置として、インバータ回路１１０およびインバータ１１０で駆動される電動機１１１が構成されている場合を示している。
【００２４】
以上のように構成された電力変換装置について、以下その動作・作用を説明する。
【００２５】
まず、図１において、３相３線式電源（３相△結線）１００は、３相４線式電源を構成
している。その出力はＲ、Ｓ，Ｔである。たとえば、平衡電力供給時に各相間電圧はおよそＡＣ４００Ｖとなる。このために、このＡＣ４００Ｖに対して全波整流を施すと、約ＤＣ５６５Ｖの電圧を負荷に印加することになる。しかしながら、単純に各Ｒ，Ｓ、Ｔ相間で全波整流回路を構成しても、負荷を介して互いの相からの電流が流れ込み、３相３線式電源（３相△結線）１００における１次電流の連続性がなくなり、各相電流は不連続となり、力率は非常に低下する。
【００２６】
そこで本発明では、３相３線式電源（３相△結線）１００の出力において、各Ｒ，Ｓ，Ｔ相間に単相全波整流ブリッジ回路１０４ａ、１０４ｂ、１０４ｃにより全波整流をおこなう。その出力は、チョッパ手段（トランジスタ）１０５ａ，１０５ｂ，１０５ｃにより断続電流化される。この電流はインダクタンス１０６ａ，１０６ｂ，１０６ｃへの電流となる。すなわち、チョッパ手段（トランジスタ）１０５ａ，１０５ｂ，１０５ｃがＯＮ状態での電流は、インダクタンス１０６ａ，１０６ｂ，１０６ｃを流れ、磁気エネルギーの形で蓄積される。一方、チョッパ手段（トランジスタ）１０５ａ，１０５ｂ，１０５ｃがＯＦＦ状態となると、磁気エネルギーとして蓄積されたエネルギーは、電流の形でダイオード１０８ａ，１０８ｂ、１０８ｃのカソードを介して、負荷もしくは平滑用コンデンサ１０９の端子へ流れ込み、ダイオード１０７ａ、１０７ｂ、１０７ｃを介してもとのインダクタンス１０６ａ，１０６ｂ，１０６ｃへの電流となる。すなわち、本回路においては、チョッパ手段（トランジスタ）１０５ａ，１０５ｂ，１０５ｃのＯＮ状態およびＯＦＦ状態により、３つの電流ループを形成することになる。モード１（初期状態）では、チョッパ手段（トランジスタ）１０５ａ，１０５ｂ，１０５ｃのＯＦＦ状態であり、各Ｒ，Ｓ，Ｔ相から電流は遮断されている。次のモード２では、チョッパ手段（トランジスタ）１０５ａ，１０５ｂ，１０５ｃがＯＮ状態であり、電源Ｒ，Ｓ，Ｔから単相全波整流ブリッジ回路１０４ａ、１０４ｂ、１０４ｃを介して、チョッパ手段（トランジスタ）１０５ａ，１０５ｂ，１０５ｃから、インダクタンス１０６ａ，１０６ｂ，１０６ｃを通じて、単相全波整流ブリッジ回路１０４ａ、１０４ｂ、１０４ｃの負端子から電源へ帰るループで電流がながれ、その電流エネルギーの一部がインダクタンス１０６ａ，１０６ｂ，１０６ｃにＬｉ2の形で蓄積される。次のモード３では、チョッパ手段（トランジスタ）１０５ａ，１０５ｂ，１０５ｃがＯＦＦ状態であり、インダクタンス１０６ａ，１０６ｂ，１０６ｃにＬｉ2の形で蓄積されたエネルギーが電気エネルギーとなり、ダイオード１０８ａ，１０８ｂ、１０８ｃ、負荷もしくは平滑用コンデンサ１０９を介して流れ、ダイオード１０７ａ、１０７ｂ、１０７ｃを介して、インダクタンス１０６ａ，１０６ｂ，１０６ｃに戻るループを形成する。通常は、このモード２とモード３を一定の周期で繰り返すことにより、インダクタンス１０６ａ，１０６ｂ，１０６ｃにおけるエネルギー蓄積と放出を繰り返すことになる。
【００２７】
このエネルギー蓄積と放出もしくは停止の割合により、負荷に供給する電力を可変することが可能となる。すなわち、負荷が消費する電力よりも大きな電力を放出するといわゆる昇圧コンバータ動作をおこない、負荷が消費する電力よりも低い電力を放出すると降圧コンバータ動作をおこなうことが可能となる。
【００２８】
また、ダイオード１０７ａ、１０７ｂ、１０７ｃおよびダイオード１０８ａ，１０８ｂ、１０８ｃは、各３相回路において互いに他の相からの電流が回りこむことを防止するもので、コンバータ側から負荷側へのみ電力を移動し、逆流を防止するものである。これにより、３相間で電気的に分離した整流回路構成であっても、平滑用コンデンサ１０９において電流（電力）の重ねあわせが可能となっている。
【００２９】
第２図に示した本発明における第２の実施例を示す回路において、第１図に示す構成と同じ要素には同じ符号を附し、説明を省略する。第２図において３相３線式電源１００における電源電圧位相を検出する電圧位相検出手段１１２を具備し、その位相信号に応じて
デュティ演算手段１１３は各チョッパ手段（トランジスタ）１０５ａ，１０５ｂ，１０５ｃのスイッチングデュティを算出し、各チョッパ手段（トランジスタ）１０５ａ，１０５ｂ，１０５ｃを駆動するトランジスタ駆動手段１１４へ信号を送出する。この信号にもとづいて各チョッパ手段（トランジスタ）１０５ａ，１０５ｂ，１０５ｃは、チョッパ動作をおこなうものである。
【００３０】
特に、このデュティ演算手段におけるデュティ信号として、第３図に示すように６０度ごとに各相における電圧位相に応じて下記の所定の算出式で定義されるＯＮデュティ比に基づいて駆動信号を出力し、各チョッパ手段（トランジスタ）１０５ａ，１０５ｂ，１０５ｃを駆動することにより、通常実電流を検出し、その電流信号に基いて帰還制御をおこなうこともなく、電圧位相検出手段１１２などを設けるだけで、オープンループで３相３線式電源１００における電源電流における高力率を容易に実現できるものである。
【００３１】
【数２】
2010172152.tif 000003
【００３２】
以上のように、本実施の形態においては多相コンバータ回路を  多相交流電源（△結線電源）に接続され、各相間に独立した整流手段と整流手段からの出力を所定の周期で断続動作をおこなうチョッパ手段と前記チョッパ手段による制限電流が流れるインダクタンス手段とを備え、前記インダクタンス手段の出力を第二の整流手段を介して同一の負荷に接続することにより、チョッパ手段動作により負荷への出力電圧を制御可能となり、電源電圧の最大波高値電圧以下の出力電圧を供給することが可能となり、小型、低コスト、制御の容易な電力変換装置を提供することができる。
【００３３】
また、本実施の形態では多相チョッパ手段の断続動作を電源電圧位相に応じて所定のデュティでチョッパ動作をおこなうことにより駆動回路が簡易で構成できるようになり、制御の容易性、信頼性が高い電力変換装置を実現することもできる。
【００３４】
また、本実施の形態の降圧動作時にはキャリヤ周期に対して通電率を適時選択することにより、負荷出力電圧の昇降圧制御が可能となり、負荷動作にマッチした電圧での駆動制御を実現することができる。
【００３５】
図４は、本発明における第３の実施の形態を示す電力変換装置の主要回路図である。同図において、第１図に示した第１の実施形態と同じの構成には、同一の符号を付して説明を略する。第２図において、３００はチョッパ手段（トランジスタ）１０５ａ，１０５ｂ，１０５ｃを駆動する駆動回路を具備した電圧制御手段であり、この電圧制御手段３００
は、負荷となる平滑用コンデンサ１０９の電圧を検出する複数の固定抵抗器から構成され、電圧分圧をおこなう電圧検出手段３０１およびコンバータ回路の出力電圧指示を電圧信号で設定する出力電圧指示手段３０２の誤差検出手段３０３からの信号に基づいてチョッパ手段（トランジスタ）１０５ａ，１０５ｂ，１０５ｃへの駆動信号を生成する。すなわち、出力電圧指示値よりも実際の出力電圧値に差が生じている場合には電圧を補正するような方向でチョッパ手段（トランジスタ）１０５ａ，１０５ｂ，１０５ｃの駆動デュティを変更制御するものである。
【００３６】
本実施例においては、コンバータ出力を検出し、所定の出力電圧指示との誤差補正制御をおこなうことにより、オープンループ制御時よりも出力電圧の安定化を図ることが可能となるものである。
【００３７】
また、以上相数については、３相３線式の場合について説明をおこなったが、より多くの多相交流電源においても同様の効果を得ることが可能である。
【００３８】
また、第５図に示すようにチョッパ手段の駆動方式をいわゆるソフトスイッチング駆動方式に変更することも可能である。同図において、第１図に示した実施形態と同じの構成には、同一の符号を付して説明を略する。
【００３９】
ダイオード１０４ａの正出力端子は直列回路を構成するダイオード２００ａ、スイッチング手段（トランジスタ）２０１ａとおなじく直列回路を構成するスイッチング手段（トランジスタ）２０２ａ、ダイオード２０３ａが並列回路を構成しており、その中間点にコンデンサ２０４ａが接続されている。ソフトスイッチング回路動作は、文献「Ｋａｔｓｕｎｏｒｉ  Ｔａｎｉｇｕｃｈｉ，ｅｔ  ａｌ  ”Ｄｒｉｖｉｎｇ  Ｃｉｒｃｕｉｔ  ｆｏｒ  Ｓｉｎｇｌｅ−Ｐｌｕｓｅ  ｓｏｆｔ−Ｓｗｉｔｈｉｎｇ  ＰＦＣ  Ｃｏｎｖｅｒｔｅｒ”，ＰＣＣ−Ｏｓａｋａ  ２００２，ｐａｐｅｒ  ｐ．１２３２，２００２」などに記載されているコンバータ回路を適用した用ものであり、本実施例においても、ソフトスイッチングであり、同様の効果を得ることが可能である。
【００４０】
また、本実施例の形態では、電力変換装置の負荷装置としてインバータ駆動の電動機を用いることにより、電動機の運転条件や運転周波数に応じて、出力電圧を制御することが可能となり、小型、低コスト、制御の容易な電力変換装置であっても高効率な空調機システムを構成することができる。
【００４１】
また、本実施例の形態では、降圧コンバータ動作をおこなうことが可能であり、電源電圧の波高値よりも低いコンバータ出力電圧を構成することが可能となる。これにより、インバータ駆動用半導体素子、母線間素子、電動機巻き線などの構成要素の耐電圧を低電圧定格部品で構成でき、小型、低コストである電力変換装置を提供することができる。
【００４２】
また、本実施例の電力変換装置およびインバータ装置を負荷として圧縮機駆動用の電動機を具備した空気調和機においては、従来の同様の各種法規対応した圧縮機駆動用制御装置に比べて大幅に小型化することが可能となり、図９に示すように空気調和機（特に室外機）に適用することにより、圧縮機４００の駆動用の電動機などを負荷とするインバータ装置４０１（いわゆる電装品）を小型化することが可能となり、限られた室外機のスペースにおいて送風機４０２や送風回路や熱交換器４０３を効率よく大型化することができ、冷凍サイクルの運転効率を高めることが可能となり、製品としての効率を高めることができ、省エネルギーに貢献することができる。
【産業上の利用可能性】
【００４３】
以上のように、本発明にかかるＹ結線多相交流電源対応の電力変換装置は、３相△結線
でありながらコンバータ出力電圧を小型化、低コスト化、高信頼性かつ容易な制御性を具現化することが可能となるので、空気調和機、産業用工作機器、エレベータ等の電動機負荷用途をはじめＹ結線電源に接続される電力変換装置等にも適用できる。
【図面の簡単な説明】
【００４４】
【図１】本発明の実施の形態１における△結線多相交流電源対応の電力変換装置の主要な回路構成図
【図２】本発明の実施の形態２における△結線多相交流電源対応の電力変換装置の主要な回路構成図
【図３】本発明におけるスイッチング手段駆動用デュティ信号図
【図４】本発明の実施の形態３における△結線多相交流電源対応の電力変換装置の主要な回路構成図
【図５】本発明の実施の形態１においてソフトスイッチング駆動回路を用いたＹ結線多相交流電源対応の電力変換装置の主要な回路構成図
【図６】本発明の実施の電力変換装置をＹ結線多相交流電源対応の空気調和機の概要図
【図７】従来の結線多相交流電源対応の電力変換装置の主要な回路構成図
【符号の説明】
【００４５】
１００  多相電源（△結線電源）
１０４ａ，１０４ｂ，１０４ｃ  整流手段
１０５ａ，１０５ｂ，１０５ｃ  チョッパ手段
１０６ａ，１０６ｂ，１０６ｃ  インダクタンス手段
１０７ａ、１０７ｂ、１０７ｃ，１０８ａ，１０８ｂ，１０８ｃ  第二の整流手段
【図１】
2010172152.tif 000005
【図２】
2010172152.tif 000006
【図３】
2010172152.tif 000007
【図４】
2010172152.tif 000008
【図５】
2010172152.tif 000009
【図６】
2010172152.tif 000010
【図７】
2010172152.tif 000011